(57)【要約】【課題】汗取りのほか必要に応じて頭部や頸部の冷却や保温を行うことができ、かつ、被り物の装着感を向上させることができる頭部用装着具を提供する。【解決手段】頭部用装着具１０は、略帯状の本体１２に、保冷剤１８Ａ及び１８Ｂを収納可能な収納部１４及び１６が形成された構成となっており、吸湿性に優れた布地により形成されている。前記頭部用装着具１０は、端部１２Ａが後頭部側を向き、端部１２Ｂが正面側を向くようにヘルメット１００の内側に置き、前記端部１２Ｂを、環状帯正面側１０６Ａと帽体１０２の間に通して保冷剤１８Ｂが装着者の額に当たるように巻き込むことによって、ヘルメット１００に取り付けられる。ヘルメット１００を被ると、装着者の頭頂部及び額を保冷剤１８Ａ及び１８Ｂにより冷やすとともに、本体１２により汗を吸収することができる。【選択図】図１
2008013884.tif 000002
【特許請求の範囲】
【請求項１】
頭囲に沿う環状帯を内側に備えた被り物に取り付けられる頭部用装着具であって、
前記被り物に対して着脱可能、かつ、装着者の頭頂部を被覆可能な帯状体に形成されるとともに、少なくとも一方の端部が、前記環状帯と被り物の隙間に挿通可能であることを特徴とする頭部用装着具。
【請求項２】
頭囲に沿う環状帯を内側に備えた被り物に取り付けられる頭部用装着具であって、
第１の帯状体の略中央に、第２の帯状体が略直交した略Ｔ字状ないし略十字状に形成されており、
前記第１及び第２の帯状体の少なくとも一つの端部が、前記環状帯と被り物の隙間に挿通可能であるとともに、
前記被り物に対して着脱可能、かつ、装着者の頭頂部を被覆可能であることを特徴とする頭部用装着具。
【請求項３】
前記第１の帯状体の両端を接続する接続手段を設けたことを特徴とする請求項２記載の頭部用装着具。
【請求項４】
前記第１の帯状体の両端を頭部の後ろ側で結べる長さに形成したことを特徴とする請求項２記載の頭部用装着具。
【請求項５】
前記第１の帯状体の両端近傍であって前記装着者の耳に対応する位置に開口部を形成したことを特徴とする請求項２〜４のいずれかに記載の頭部用装着具。
【請求項６】
前記帯状体に保冷剤を収納可能な収納部を少なくとも一つ以上設けたことを特徴とする請求項１〜５のいずれかに記載の頭部用装着具。
【請求項７】
前記保冷剤を前記収納部に固定するための固定手段を設けたことを特徴とする請求項６記載の頭部用装着具。
【請求項８】
前記帯状体のいずれかの縁部に設けられており、前記縁部を任意の形状に保持するワイヤを備えたことを特徴とする請求項１〜７のいずれかに記載の頭部用装着具。
【請求項９】
前記帯状体に接続される延設片と、
該延設片を前記帯状体に着脱可能に接続する接続具と、
を備えたことを特徴とする請求項１〜８のいずれかに記載の頭部用装着具。
【請求項１０】
前記延設片に、保冷剤を収納する収納部を設けたことを特徴とする請求項９記載の頭部用装着具。
【請求項１１】
前記帯状体に、前記被り物又は環状帯に対して着脱可能な取付手段を設けたことを特徴とする請求項１〜１０のいずれかに記載の頭部装着具。
【請求項１２】
前記帯状体に、前記装着者の頭部形状に沿う立体部分を一つ以上設けたことを特徴とする請求項１〜１１のいずれかに記載の頭部装着具。
【請求項１３】
前記帯状体が、吸湿性ないし吸水性，保温性，脱臭性の少なくともいずれかを有する布地によって形成されていることを特徴とする請求項１〜１２のいずれかに記載の頭部用装着具。
【発明の詳細な説明】
【技術分野】
【０００１】
本発明は、ヘルメットなどの被り物の内側に取り付けられる頭部用装着具に関し、更に具体的には、前記被り物の装着感の改善に関するものである。
【背景技術】
【０００２】
工場や建築現場などではヘルメットの装着が義務付けられている。ヘルメットは、頭部を保護するために、硬質プラスチックや金属などで構成されており、通気性に欠けるのが一般的である。このため、夏場の作業の際には、頭部が蒸れたり汗が滴り落ちたりして作業に集中できなくなるのを防ぐために、頭部とヘルメットの間にタオルなどを挟み込むことがある。しかしながら、タオルが適切な大きさでないと視界を遮ることになったり、ヘルメットを装着しにくくなったりするという不都合がある。また、タオルを挟むだけでは、汗を吸収することはできても、積極的に頭部や頸部を冷やすことまではできない。
【０００３】
一方、ヘルメット装着時に頭部を冷却するための技術としては、以下の特許文献１に記載の保冷マットつきヘルメットや、特許文献２に記載の汗とり鉢巻がある。まず、特許文献１の保冷マットつきヘルメットは、ヘルメットの内側に保冷マットを着脱可能に内装したものであって、ヘルメット着用者の頭部を冷却することが可能となっている。また、特許文献２に記載の汗とり鉢巻は、吸水性のよい布地で帯状に形成された鉢巻本体に、保冷剤を収納するためのポケットが設けられており、頭部の冷却と汗取りを同時に行う構成となっている。
【特許文献１】特開２０００−９６３３３公報
【特許文献２】実用新案登録第３０９９８２２号公報
【発明の開示】
【発明が解決しようとする課題】
【０００４】
しかしながら、以上のような背景技術には次のような不都合がある。まず、特許文献１に記載の保冷マットつきヘルメットでは、主に頭頂部の冷却を行うこととなっており、額や頸部を冷却することはできず、汗取りについても考慮されていない。また、特許文献２に記載の汗とり鉢巻では、冷却と汗取りを同時に行うことができるものの、冷却が可能なのは頭囲のみであり、頭頂部を冷やすことはできない。また、ヘルメットと鉢巻を別々に装着しなければならないため、装着に手間がかかるという不都合もある。
【０００５】
本発明は、以上の点に着目したもので、その目的は、汗取りのほか必要に応じて頭部や頸部の冷却又は保温を行うことができ、かつ、被り物の快適な装着感が得られる頭部用装着具を提供することである。
【課題を解決するための手段】
【０００６】
前記目的を達成するため、本発明は、頭囲に沿う環状帯を内側に備えた被り物に取り付けられる頭部用装着具であって、前記被り物に対して着脱可能、かつ、装着者の頭頂部を被覆可能な帯状体に形成されるとともに、少なくとも一方の端部が、前記環状帯と被り物の隙間に挿通可能であることを特徴とする。
【０００７】
他の発明は、頭囲に沿う環状帯を内側に備えた被り物に取り付けられる頭部用装着具であって、第１の帯状体の略中央に、第２の帯状体が略直交した略Ｔ字状ないし略十字状に形成されており、前記第１及び第２の帯状体の少なくとも一つの端部が、前記環状帯と被り物の隙間に挿通可能であるとともに、前記被り物に対して着脱可能、かつ、装着者の頭頂部を被覆可能であることを特徴とする。本発明の前記及び他の目的，特徴，利点は、以下の詳細な説明及び添付図面から明瞭になろう。
【発明の効果】
【０００８】
本発明は、被り物に対して着脱可能、かつ、装着者の頭頂部を被覆可能な略帯状，略Ｔ字状，略十字状のいずれかに頭部用装着具を形成し、これらの端部を前記被り物とその内側に設けられた環状帯の隙間に挿通可能とした。そして、頭部や頸部の汗取り又は保温を行うとともに、必要に応じて保冷剤を収納して冷却することとしたので、被り物の装着感を向上させることができるという効果が得られる。
【発明を実施するための最良の形態】
【０００９】
以下、本発明を実施するための最良の形態を、実施例に基づいて詳細に説明する。
【実施例１】
【００１０】
最初に、図１を参照しながら、本発明の実施例１を説明する。図１(A)は本実施例の構造を示す斜視図，図１(B)はヘルメットへの取り付け状態を示す図である。図１(C)〜(E)は変形例を示す図である。図１(A)及び(B)に示すように、本実施例の頭部用装着具１０は、全体が装着者の頭頂部をほぼ被覆可能な幅の略帯状に形成されており、該略帯状の本体１２の略中央部付近には、保冷剤１８Ａを収納するための収納部１４が設けられている。また、端部１２Ｂには、他の保冷剤１８Ｂを収納するための収納部１６が形成されている。このような本体１２を構成する素材としては、例えば、マイクロファイバーなどの吸湿性に優れた布地が用いられる。一方、前記頭部用装着具１０を取り付けるヘルメット１００は、図１(B)に示すように、帽体１０２の内側に、内装体１０４と、頭囲に概略沿う環状帯１０６のほか、顎紐１０８を備えている。前記環状帯１０６の端部１０６Ｂ及び１０６Ｃは、図示しない調節具によって、装着者の頭囲に応じて長さ調節が可能となっている。
【００１１】
次に、図１(B)を参照して、本実施例の装着例の一例を説明する。まず、頭部用装着具１０の収納部１４に保冷剤１８Ａを収納する。そして、一方の端部１２Ｂ（収納部１６）を、環状帯１０６の正面側１０６Ａと帽体１０２の間に通したのち、収納部１６に保冷剤１８Ｂを入れて、端部１２Ｂを環状帯１０６の内側に巻き込む。他方の端部１２Ａは、環状帯１０６の端部１０６Ｂ（１０６Ｃ）と帽体１０２の隙間に通すようにしてもよいし、通さないままとしてもよい。このようにして頭部用装着具１０を取り付けたヘルメット１００を被ると、保冷剤１８Ａにより頭頂部が冷やされ、保冷剤１８Ｂにより額が冷やされる。汗をかいた場合は、本体１２により汗が吸収される。また、必要に応じて、端部１２Ａ側を図１(A)及び(B)に点線で示すように長く形成して頸部に垂らすことにより、頸部の日焼けを防止するようにしてもよい。更に、前記端部１２Ａ自体を長くするほか、図１(B)に示す延設片２０を、図に点線で示す両面テープ２１などによって、本体１２の端部１２Ａに着脱可能に接続し、必要に応じて使用するようにしてもよい。
【００１２】
このように、実施例１によれば、次のような効果がある。
(1)略帯状の本体１２の一方の端部１２Ｂを、ヘルメット１００の帽体１０２と環状帯１０６の間に巻き込むこととしたので、簡単に装着できる。
(2)吸湿性の高い布地を用いることとしたので、汗を吸収してヘルメット１００の装着感を高めることができる。
(3)収納部１４及び１６に、必要に応じて保冷剤１８Ａ及び１８Ｂを収納することとしたので、積極的に頭部を冷却することができ、熱中症などを防止して夏場などの作業を快適に行うことができる。また、ヘルメット１００を被ることにより保冷剤１８Ａや１８Ｂを押さえることができるため、安定性がよく作業に集中することができる。
(4)後頭部側の端部１２Ａを必要に応じて長く形成する，あるいは、延設片２０を取り付けて長くすることとしたので、頸部の日焼けを防止することができる。
(5)汗を多量にかいたときは、本体１２を絞ることにより繰り返し使用することができる。
(6)使用しないときは折り畳んで作業服のポケットなどに入れることができるため、携帯性に優れている。
【００１３】
次に、図１(C)〜(E)を参照して、本実施例の変形例を説明する。まず、図１(C)に示す頭部用装着具１０Ａは、収納部１４Ａが保冷剤１８Ａを本体１２の長手方向から収納できるように形成されている。また、本体１２の一方の端部１２Ｂには収納部が形成されていないが、該端部１２Ｂによって保冷剤１８Ｂを巻き込んで環状帯１０６と帽体１０２の間に挟み込むことにより、上述した頭部用装着具１０と同様の効果が得られる。図１(D)に示す頭部用装着具１０Ｂでは、収納部１４Ｂは、４隅のみが縫製されており、保冷剤１８Ａを本体１２の長手方向もしくは該長手方向と直交する方向のいずれの向きからでも収納可能となっている。更に、図１(E)に示す頭部用装着具１０Ｃは、収納部１６のみが形成されている例であり、必要に応じて、このようなタイプの装着具を用いるようにしてもよい。以上のような頭部用装着具１０，１０Ａ〜１０Ｃは、上述した説明では、端部１２Ａ側を後頭部側へ向けるようにしたが、端部１２Ｂ側を後頭部へ向けて取り付けるようにしてもよいし、必要に応じて頭頂部を横切るように設けて側頭部を冷やすようにしてもよい。
【実施例２】
【００１４】
次に、図２を参照しながら、本発明の実施例２を説明する。なお、上述した実施例１と同一ないし対応する構成要素には同一の符号を用いることとする（以下の実施例についても同様）。図２(A)は本実施例の構成を示す平面図，図２(B)は本実施例の使用状態を示す図である。図２(C)〜(F)は、本実施例の変形例を示す図である。上述した実施例１は、頭部用装着具が略帯状の場合について説明したものであるが、本実施例は、頭部用装着具が略Ｔ字状の例である。なお、ヘルメット１００の構造については、前記実施例１と同様である。
【００１５】
図２(A)に示すように、本実施例の頭部用装着具３０は、第１の帯状体３２と、該第１の帯状体３２の略中央に略直交する第２の帯状体３４により、全体が略Ｔ字状に形成されている。これら第１及び第２の帯状体３２及び３４を形成する布地は、例えば、前記実施例１と同様に吸湿性に優れた素材が用いられる。本実施例では、前記第１の帯状体３２が、装着者の両耳から頭頂部を覆う横帯に相当し、第２の帯状体３４が、頭頂部から額まで覆う縦帯に相当するが、第２の帯状部３４を後頭部側へ向けるように使用することを妨げるものではない。前記第１の帯状体３２の長辺３２Ｃの略中央部には、ワイヤ３６が設けられており、更に、端部３２Ａ及び３２Ｂ近傍の縁部３２Ｄには、他のワイヤ３８が設けられている。また、必要に応じて、前記第１の帯状体３２の略中央には、保冷剤１８Ａを収納するための収納部３９が設けられている。
【００１６】
本実施例の頭部用装着具３０をヘルメット１００に取り付けるときは、まず、第１の帯状体３２の長辺３２Ｃを後頭部側へ向け、第２の帯状体３４の端部３４Ａが正面側へくるようにヘルメット１００の内側におく。そして、第１の帯状体３２の両端部３２Ａ及び３２Ｂを、環状帯１０６と帽体１０２の隙間に挟み込む。このとき、ワイヤ３８により挟み込んだ形状を維持できるため、端部３２Ａ及び３２Ｂが環状帯１０６に固定される。次に、第２の帯状体３４の端部３４Ａを、環状帯正面側１０６と帽体１０２の間に挿通し、該端部３４Ａによって保冷剤１８Ｂを巻き込んで環状帯１０６に固定する。以上のようにして頭部用装着具３０を取り付けたヘルメット１００を被り、必要に応じてワイヤ３６の形を装着者の頸部に沿って調整することにより、快適な装着感が得られる。もちろん、必要に応じて、前記収納部３９に保冷剤１８Ａを収納して頭頂部を冷やすようにしてもよい。
【００１７】
本実施例の基本的な効果は、上述した実施例１と同様であるが、本実施例では、全体を略Ｔ字状にするとともに、必要に応じて縁部にワイヤ３６や３８を設けることとしたので、ヘルメット１００への固定や装着者の頸部に沿った変形が可能となり、装着感をより高めることができる。
【００１８】
次に、図２(C)〜(F)を参照して、本実施例の変形例を説明する。前記図２(A)及び(B)に示した頭部用装着具３０は、主に汗取りや冷却用に適した構成となっているが、本変形例の頭部用装着具４０は、頭部の保温に適した構成となっている。図２(C)に示すように、頭部用装着具４０は、第１の帯状体４２とそれに略直交する第２の帯状体４４により略Ｔ字状に形成されており、例えば、フリースなどの保温性に優れた布地により形成されている。また、前記第２の帯状体４４は、ヘルメット１００の環状帯正面側１０６Ａに挟むことができる程度の長さに形成されており、第１の帯状体４２及び第２の帯状体４４ともに、保冷剤などを収納するための収納部は設けられていない。更に、前記第１の帯状体４２の端部４２Ａ及び４２Ｂ近傍には、装着者の耳に相当する位置に、開口部４６Ａ及び４６Ｂが形成されている。
【００１９】
このような頭部用装着具４０は、図２(D)に示すように、第２の帯状体４４の端部４４Ａを環状帯正面側１０６Ａへ挟み、第１の帯状体４２の端部４２Ａ及び４２Ｂを環状帯１０６と帽体１０２の隙間へ通した状態で、図２(E)に示すように装着する。すると、第１の帯状体４２が装着者の耳を覆うようになるため、耳当てとして活用することができる。このとき、帯状体４２には開口部４６Ａ及び４６Ｂが設けられているため、音が遮られることがなく、安全な作業を行うことができる。なお、第１の帯状体４２は、顎紐１０８を締めることにより、ずれが防止される。あるいは、前記第１の帯状体４２の長辺４２Ｃが正面側にくるように頭部用装着具４０を頭に被せ、該第１の帯状体４２の両端を、図２(F)に示すように頭の後ろ側で結び、その上からヘルメット１００を被るようにしてもよい。
【実施例３】
【００２０】
次に、図３を参照しながら、本発明の実施例３を説明する。本実施例は、頭部用装着具を略十字状とした例である。図３(A)は本実施例の構造を示す平面図，図３(B)は本実施例の使用状態を示す図である。図３(A)に示すように、本実施例の頭部用装着具５０は、第１の帯状体５２と、その中央に略直交する第２の帯状体５４により、全体が略十字状に形成されている。これら第１及び第２の帯状体５２及び５４は、前記実施例１と同様に、吸湿性に優れたマイクロファイバーなどの布地により構成されている。前記第１の帯状体５２の両端部５２Ａ及び５２Ｂには、面テープ５６Ａ及び５６Ｂが設けられており、これら端部５２Ａ及び５２Ｂ同士を接着することが可能となっている。また、必要に応じて略中央には、保冷剤を収納するための収納部６２が設けられる。
【００２１】
一方、第２の帯状体５４の一方の端部５４Ａは、環状帯正面側１０６Ａに巻きつけ可能な長さに形成されており、他方の端部５４Ｂは比較的短く形成されるとともに、縁部５４Ｂに面テープ６０が設けられている。更に、本実施例では、前記縁部５４Ｂに着脱可能に取り付け可能な延設片６４（図３(B)）が用意されている。該延設片６４も、前記第１及び第２の帯状体５２及び５４と同様の素材により形成されている。前記延設片６４は、袋状の収納部６６と、一枚布の延長部６８により構成されており、該延長部６８には、第２の帯状体５４の端部５４Ｂに設けられた面テープ６０と着脱可能に接着する面テープ７０が設けられている。前記収納部６６には、保冷剤１８Ｃが収納可能な構成となっており、更に、該保冷剤１８Ｃの上下に相当する部分に、ワイヤ７２Ａ及び７２Ｂが設けられている。
【００２２】
次に、図３(B)を参照して、本実施例の取り付け手順を説明する。まず、第２の帯状体５４の端部５４Ａが正面側を向くように、頭部用装着具５０をヘルメット１００の内側におく。そして、第１の帯状体５２の端部５２Ａ及び５２Ｂを、環状帯１０６と帽体１０２の隙間に通し、面テープ５６Ａと５６Ｂを接着して、端部５２Ａ及び５２Ｂを固定する。次に、第２の帯状体５４の端部５４Ａを環状帯正面側１０６Ａと帽体１０２の間に通し、保冷剤１８Ｂを巻き込んで固定する。そして、前記延設片６４の収納部６６に保冷剤１８Ｃを収納して、該延設片６４を第２の帯状体５４の端部５４Ｂに取り付ける。このとき、図示のように、前記端部５４Ｂを伸ばしたまま延設片６４を取り付けるようにしてもよいし、前記端部５４Ｂを環状帯１０６に折り込んだ状態で取り付けることによって延設片６４の位置をずらし、保冷剤１８Ｃが当たる位置を調節するようにしてもよい。
【００２３】
以上のようにして頭部用装着具５０を取り付けたヘルメット１００を被り、最後に、前記延設片６４のワイヤ７２Ａ及び７２Ｂを頸部に沿って変形させることにより、保冷剤１８Ｃをずれにくくすることができる。本実施例の基本的効果は、前記実施例１と同様である。なお、必要に応じて、第１の帯状体５２の縁部５３に、前記実施例２と同様にワイヤを設け、環状帯１０６への固定を強力にするようにしてもよい。
【実施例４】
【００２４】
次に、図４を参照しながら、本発明の実施例について説明する。本実施例は、頭部装着具を略十字状とするとともに、立体部分を設けた例である。まず、図４(A)に示す頭部装着具８０は、第１の帯状体８２と、それに略直交する第２の帯状体８４により全体が略十字状に形成されている。これら第１及び第２の帯状体８２及び８４としては、前記実施例１と同様に、吸湿性に優れたマイクロファイバーなどの布地が用いられる。前記第１の帯状体８２の両端部８２Ａ及び８２Ｂには、面テープ９０Ａ及び９０Ｂが設けられており、前記実施例３と同様に、これら端部８２Ａ及び８２Ｂ同士を接着することが可能となっている。このような面テープ９０Ａ及び９０Ｂは、必要に応じて設けるようにすればよい。また、略中央部に保冷剤を収納するための収納部（図示せず）を設けるようにしてもよい。
【００２５】
一方、第２の帯状体８４の一方の端部８４Ａは、環状帯正面側１０６Ａに巻きつけ可能な長さに形成されており、他方の端部８４Ｂ側には、保冷剤１８Ａを収納するための収納部８６が形成されている。なお、図示の例では、帯状体８４の端部を折り、その折り返し部分の両端を縫製することにより収納部８６を形成しているが、上述した実施例３のように、必要に応じて収納部８６が着脱できる構成であってもよい。更に、本実施例では、前記第１の帯状体８２と第２の帯状体８４が直交する後頭部側に、ダーツ８８が２ヶ所設けられている。該ダーツ８８は、頭部装着具８０を頭部の形状に沿うようにするためのものである。
【００２６】
本実施例の作用・効果は、基本的には上述した実施例３と同様であるが、本実施例によれば、ダーツ８８を設けて頭部装着具８０を立体的に形成することとしたので、頭部へのフィット性をより高めることができるという効果がある。なお、本実施例においても、上述した実施例２のように、帯状体の縁部にワイヤなどを設けて形状維持を行うようにしてもよい。
【００２７】
次に、本実施例の変形例について説明する。まず、図４(B)に示す頭部装着具８０Ａは、第１の帯状体８２と第２の帯状体８４が交わる部分に、略弧状の縫製部９２が形成されている。該縫製部９２は、頭部装着具８０Ａを立体的に仕上げるためのものであって、図示の例では、後頭部側にのみ形成されているが、正面側に設けるようにしてもよいし、後頭部及び正面側の双方に形成するようにしてもよい。このように形成することによって、前記図４(A)に示す頭部装着具８０と同様の効果が得られる。
【００２８】
一方、図４(C)及び(D)に示す頭部装着具８０Ｂは、立体部を側頭部側に形成した例である。この場合は、例えば、図４(D)に示すように、１つの第２の帯状体８４と、２つの第１の帯状体８２Ｃ，８２Ｄを用意し、前記帯状体８４の一方の端部を折り、その折り返し部分の両端を縫製することにより収納部８６を形成する。次に、前記第１の帯状体８２Ｃ，８２Ｄの端部８３Ａ，８３Ｂを、前記第２の帯状体８４の長辺に縫い付ける。すなわち、縦帯に横帯を継ぐようにする。このとき、図４(C)に示すように、縫製部９４を境にして第１の帯状体８２Ｃ，８２Ｄと第２の帯状体８４の接合部分が立体的になるように縫製することにより、頭部形状に沿った頭部装着具８０Ｂを得ることができる。また、略長方形の帯状体８２Ｃ，８２Ｄ，８４を用意すればよいため、略十字状に生地を裁断するよりも生地の利用効率が高く、製造コストを下げることができる。あるいは、図４(E)及び(F)に示す頭部装着具８０Ｃのように、１つの第１の帯状体８２と、２つの第２の帯状体８４Ｃ及び８４Ｄを用意し、前記第１の帯状体８２の長辺に、前記第２の帯状体８４Ｃ，８４Ｄの端部８５Ａ，８５Ｂを縫いつけて、立体的な縫製部９６を形成するようにしてもよい。
【００２９】
なお、本発明は、上述した実施例に限定されるものではなく、本発明の要旨を逸脱しない範囲内において種々変更を加え得ることができる。例えば、以下のものも含まれる。
(1)前記実施例で示した形状，大きさ，材質は一例であり、必要に応じて適宜変更してよい。例えば、前記実施例１では、略帯状体の本体１２に収納部１４や１６を設けることとしたが、これらを設けることなく、本体１２の端部１２Ａや１２Ｂで保冷剤１８Ａや１８Ｂを巻き込んで環状帯１０６に固定するようにしてもよい。また、前記実施例では、ワイヤなどの利用によって装着者の頸部などに沿う形状に調整することとしたが、ダーツなどを設けて頭部や頸部の形状に合わせるようにしてもよい。また、例えば、帯状体を形成する素材として厚みのある生地を用い、水につけて凍らせてから使用すると、吸汗機能を維持しながら、通常のタオル素材を用いた場合よりも数倍程度の吸水力（保水力）を発揮し、保冷効果を長時間持続させることができる。
【００３０】
(2)前記保冷剤１８Ａ〜１８Ｃを収納部に固定するような機構を設けるようにしてもよい。実施例１を例にあげると、図５(A)に示すように、収納部１４の開放した両端の上下面に、それぞれ面テープ２２Ａ，２２Ｂ及び２４Ａ，２４Ｂを設けることにより、収納部１４から保冷剤１８Ａが抜けることがない。また、図５(B)に示すように、保冷剤１８Ｂの両面に面テープ２６Ａ及び２６Ｂを設け、収納部１６の内側の両面に、前記面テープ２６Ａ及び２６Ｂと接着可能な面テープ２８Ａ及び２８Ｂを設けることによっても、保冷剤１８Ｂの脱落などを防止することができる。もちろん、これら固定機構も一例であり、他の公知の各種の固定機構を適用してよい。あるいは、図５(C)に示すように、布地をバイアス裁ちすることにより保冷剤を抜けにくくしてもよい。
【００３１】
(3)第１の帯状体の両端部の接着や、延設片の接着手段も一例であり、上述した面テープのほか、公知の各種の着脱可能な接着手段を利用してよい。
【００３２】
(4)前記実施例の取り付け方法も一例であり、頭頂部，額，頸部のほか、側頭部を冷やすようにしてもよい。また、前記実施例３では、第１の帯状体５２の両端部５２Ａ及び５２Ｂを、面テープ５６Ａ及び５６Ｂにより接着することとしたが、他の公知の各種の接着手段を用いるようにしてもよいし、図２(F)に示す例のように、両端部を結ぶようにしてもよい。
【００３３】
(5)前記実施例では、帯状体の端部をヘルメット１００の環状帯１０６に巻き付けたり挟んだりすることにより、頭部装着具を取り付けることしたが、これに加えて位置ずれを防止するための手段を設けるようにしてもよい。例えば、図５(D)及び(E)に示す略Ｔ字型の頭部装着具４０Ａにおいて、第１の帯状体４２の長辺４２Ｃの中央付近にゴム４８を設け、該ゴム４８を、図５(E)示すようにヘルメット１００の内装体１０４の延長部１１０に掛けることにより、頭部装着具４０Ａの前方へのずれを防止するようにしてもよい。なお、前記ゴム４８も一例であり、同様の効果を奏するように適宜設計変更してよい。
【００３４】
(6)前記実施例では、頭部や頸部の冷却，あるいは、頭部や耳の保温などに本発明の頭部用装着具を利用することとしたが、これらに加えて脱臭効果などを付加するようにしてもよい。具体的には、前記収納部のいずれかに固形の脱臭剤を収納したり、端部で脱臭剤を巻き込んだりしてもよいし、布地自体が脱臭作用を有するものを用いるようにしてもよい。あるいは、脱臭剤を生地に含ませるようにしてもよい。また、汗取り剤（吸湿剤）などを収納したり巻き込んだりしてもよい。
【００３５】
(7)本発明の頭部用装着具は、工事現場で用いられるヘルメットのほか、自衛隊や消防隊などで用いられるヘルメット全般に適用可能である。また、ヘルメット以外の被り物であっても、本発明の頭部用装着具を取り付け可能な被り物であれば、他の公知の各種の被り物に本発明は適用可能である。
【産業上の利用可能性】
【００３６】
本発明によれば、被り物に対して着脱可能、かつ、装着者の頭頂部を被覆可能な略帯状，略Ｔ字状，略十字状のいずれかに頭部用装着具を形成し、これらの端部を前記被り物とその内側に設けられた環状帯の隙間に挿通可能とした。このため、頭部や頸部の汗取り又は保温を行うとともに、必要に応じて保冷剤を収納して冷却するができるため、被り物の内側に取り付ける頭部用装着具の用途に適用できる。特に、ヘルメットの内側に取り付ける頭部用装着具の用途に好適である。
【図面の簡単な説明】
【００３７】
【図１】本発明の実施例１を示す図である。
【図２】本発明の実施例２を示す図である。
【図３】本発明の実施例３を示す図である。
【図４】本発明の実施例４を示す図である。
【図５】本発明の他の実施例を示す図である。
【符号の説明】
【００３８】
１０，１０Ａ〜１０Ｃ：頭部用装着具
１２：本体
１２Ａ，１２Ｂ：端部
１４，１４Ａ，１４Ｂ，１６：収納部
１８Ａ，１８Ｂ，１８Ｃ：保冷剤
２０：延設片
２２Ａ，２２Ｂ，２４Ａ，２４Ｂ，２６Ａ，２６Ｂ，２８Ａ，２８Ｂ：面テープ
３０：頭部用装着具
３２，３４：帯状体
３２Ａ，３２Ｂ，３４Ａ：端部
３２Ｃ：長辺
３２Ｄ：縁部
３６，３８：ワイヤ
３９：収納部
４０：頭部用装着具
４２，４４：帯状体
４２Ａ，４２Ｂ，４４Ａ：端部
４２Ｃ：長辺
４６Ａ，４６Ｂ：開口部
４８：ゴム
５０：頭部用装着具
５２，５４：帯状体
５２Ａ，５２Ｂ，５４Ａ，５４Ｂ：端部
５３：縁部
５６Ａ，５６Ｂ，６０，７０：面テープ
６２：収納部
６４：延設片
６６：収納部
６８：延長部
７２Ａ，７２Ｂ：ワイヤ
８０，８０Ａ〜８０Ｃ：頭部装着具
８２，８２Ｃ，８２Ｄ，８４，８４Ｃ，８４Ｄ：帯状体
８２Ａ，８２Ｂ，８３Ａ，８３Ｂ，８４Ａ，８４Ｂ，８５Ａ，８５Ｂ：端部
８６：収納部
８８：ダーツ
９０Ａ，９０Ｂ：面テープ
９２，９４，９６：縫製部
１００：ヘルメット
１０２：帽体
１０４：内装体
１０６：環状帯
１０６Ａ：正面側
１０６Ｂ，１０６Ｃ：端部
１０８：顎紐
１１０：延長部
【図１】
2008013884.tif 000003
【図２】
2008013884.tif 000004
【図３】
2008013884.tif 000005
【図４】
2008013884.tif 000006
【図５】
2008013884.tif 000007